(57)【要約】【課題】装置の伝送容量が大きくなっても、プロテクション用の光スイッチの増大を回避する。【解決手段】送信側光伝送装置１は、Ｎ多重トランスポンダ１０２に入力された複数の信号光と同一の信号光を波長多重する波長多重部１０４と、波長多重部１０４による波長多重光のうち一つを選択して出力する単一のＭ：１光スイッチ１０５と、Ｍ：１光スイッチ１０５により出力された波長多重光を複数の信号光に波長分離し、Ｎ多重トランスポンダ１０７に出力する波長分離部１０６とを備え、受信側光伝送装置２は、Ｎ多重トランスポンダ２０３により分離された複数の信号光を波長多重する波長多重部２０４と、波長多重部２０４による波長多重光の出力先を選択して出力する単一の１：Ｍ光スイッチ２０５と、１：Ｍ光スイッチ２０５により出力された波長多重光を複数の信号光に波長分離する波長分離部２０６とを備えた。【選択図】図１
2014225740.tif 000002
【特許請求の範囲】
【請求項１】
入力された複数の信号光を多重して波長光に変換する複数の第１の送信側トランスポンダ、入力されたプロテクション対象の複数の信号光を多重して波長光に変換する第２の送信側トランスポンダ、及び前記第１，２の送信側トランスポンダにより変換された波長光を波長多重して送信する送信側波長多重部を有する送信側光伝送装置と、前記送信側波長多重部からの波長多重光を波長光に波長分離する受信側波長分離部、前記波長分離部により波長分離された対応する波長光を複数の信号光に分離する複数の第１の受信側トランスポンダ、及び前記波長分離部により波長分離されたプロテクション対象の波長光を複数の信号光に分離する第２の受信側トランスポンダを有する受信側光伝送装置とを備えた光伝送システムにおいて、
前記送信側光伝送装置は、
前記第１の送信側トランスポンダに対となって設けられ、当該第１の送信側トランスポンダに入力された複数の信号光と同一の信号光を波長多重する第２の送信側波長多重部と、
前記第２の送信側波長多重部による波長多重光のうち一つを選択して出力する単一の送信側光スイッチと、
前記送信側光スイッチにより出力された波長多重光を複数の信号光に波長分離し、前記第２の送信側トランスポンダに出力する送信側波長分離部とを備え、
前記受信側光伝送装置は、
前記第２の受信側トランスポンダにより分離された複数の信号光を波長多重する受信側波長多重部と、
前記受信側波長多重部による波長多重光の出力先を選択して出力する単一の受信側光スイッチと、
前記第１の受信側トランスポンダに対となって設けられ、前記受信側光スイッチにより出力された波長多重光を複数の信号光に波長分離する第２の受信側波長分離部とを備えた
ことを特徴とする光伝送システム。
【請求項２】
前記送信側光伝送装置は、
前記送信側波長分離部に代えて、
前記送信側光スイッチにより出力された波長多重光を分波する送信側光分波部と、
前記送信側光分波部により分波された波長多重光から、互いに異なる所定の波長の信号光を取り出す複数の送信側波長フィルタとを備え、
前記受信側光伝送装置は、
前記第２の受信側波長分離部に代えて、
前記受信側光スイッチにより出力された波長多重光を分波する受信側光分波部と、
前記受信側光分波部により分波された波長多重光から、互いに異なる所定の波長の信号光を取り出す複数の受信側波長フィルタとを備えた
ことを特徴とする請求項１記載の光伝送システム。
【請求項３】
入力された複数の信号光を多重して波長光に変換する複数の第１の送信側トランスポンダ、入力されたプロテクション対象の複数の信号光を多重して波長光に変換する第２の送信側トランスポンダ、及び前記第１，２の送信側トランスポンダにより変換された波長光を波長多重して送信する送信側波長多重部を有する送信側光伝送装置において、
前記第１の送信側トランスポンダに対となって設けられ、当該第１の送信側トランスポンダに入力された複数の信号光と同一の信号光を波長多重する第２の送信側波長多重部と、
前記第２の送信側波長多重部による波長多重光のうち一つを選択して出力する単一の送信側光スイッチと、
前記送信側光スイッチにより出力された波長多重光を複数の信号光に波長分離し、前記第２の送信側トランスポンダに出力する送信側波長分離部とを備えた
ことを特徴とする送信側光伝送装置。
【請求項４】
入力された波長多重光を波長光に波長分離する受信側波長分離部、前記波長分離部により波長分離された対応する波長光を複数の信号光に分離する複数の第１の受信側トランスポンダ、及び前記波長分離部により波長分離されたプロテクション対象の波長光を複数の信号光に分離する第２の受信側トランスポンダを有する受信側光伝送装置において、
前記第２の受信側トランスポンダにより分離された複数の信号光を波長多重する受信側波長多重部と、
前記受信側波長多重部による波長多重光の出力先を選択して出力する単一の受信側光スイッチと、
前記第１の受信側トランスポンダに対となって設けられ、前記受信側光スイッチにより出力された波長多重光を複数の信号光に波長分離する第２の受信側波長分離部とを備えた
ことを特徴とする受信側光伝送装置。
【発明の詳細な説明】
【技術分野】
【０００１】
この発明は、光スイッチを用いたプロテクション機能を有する光伝送システム、送信側光伝送装置及び受信側光伝送装置に関するものである。
【背景技術】
【０００２】
光伝送システムは、送信側光伝送装置で入力信号を光信号に変換して光ファイバ伝送路を伝送させ、受信側光伝送装置で光信号を元の入力信号の状態に復元することで、長距離高速伝送を行うシステムである。この際、複数の入力信号をそれぞれ異なる波長の光に変調し、その波長光を波長多重して伝送することで、一本の光ファイバで大容量の伝送が可能である。なお、波長多重数とは、一本の光ファイバで伝送する波長数のことである。
【０００３】
また、複数の入力信号を電気多重して、一つの波長光に割り当てて伝送するシステムもある。例えば、送信側光伝送装置では、１０Ｇｂｐｓの伝送速度を有する４つの入力信号を受け入れて、４０Ｇｂｐｓの伝送速度を有する１つの波長光に割り当てて送信し、受信側光伝送装置では、当該波長光を受信して、１０Ｇｂｐｓの伝送速度を有する４つの出力信号に変換する。
【０００４】
また、送信側光伝送装置において入力信号を分岐し、一方を他の波長または他の光ファイバを経由して伝送することで、本来の信号経路に障害が発生した場合でも信号伝送を行うことができるようにした、プロテクション機能を有するシステムがある（例えば特許文献１参照）。具体的には、送信側光伝送装置に入力された複数の信号をそれぞれカプラで分岐し、光スイッチで選択してプロテクション用の波長光に割り当てて送信する。受信側光伝送装置では、プロテクション用の波長光からの信号を、光スイッチで選択した出力先に出力し、カプラで合波できるようにする。そして、伝送路で障害が発生した場合に、障害が発生した波長光の信号がプロテクション用パスを通るように、送信側および受信側の光スイッチを選択することで、信号伝送を補償する。
【先行技術文献】
【特許文献】
【０００５】
【特許文献１】特開２０１２−１９５７８２号広報
【発明の概要】
【発明が解決しようとする課題】
【０００６】
ここで、特許文献１に開示された従来技術では、必要となる光スイッチの分岐数は波長多重数に等しく、必要となる光スイッチの数は一つの波長に電気多重される入力信号の数に等しい。
一方、近年の技術発達により伝送速度が高速化しているが、入力信号の速度は変わらないため、電気多重数（伝送容量）は飛躍的に増加している。これに伴い、プロテクション機能を満足するために、光スイッチが大きくかつ多く必要となるという課題がある。
【０００７】
この発明は、上記のような課題を解決するためになされたもので、装置の伝送容量が大きくなっても、プロテクション用の光スイッチの増大を回避することができる光伝送システム、送信側光伝送装置及び受信側光伝送装置を得ることを目的としている。
【課題を解決するための手段】
【０００８】
この発明に係る光伝送システムは、入力された複数の信号光を多重して波長光に変換する複数の第１の送信側トランスポンダ、入力されたプロテクション対象の複数の信号光を多重して波長光に変換する第２の送信側トランスポンダ、及び第１，２の送信側トランスポンダにより変換された波長光を波長多重して出力する送信側波長多重部を有する送信側光伝送装置と、送信側波長多重部により出力された波長多重光を波長光に波長分離する受信側波長分離部、波長分離部により波長分離された対応する波長光を複数の信号光に分離する複数の第１の受信側トランスポンダ、及び波長分離部により波長分離されたプロテクション対象の波長光を複数の信号光に分離する第２の受信側トランスポンダを有する受信側光伝送装置とを備え、送信側光伝送装置は、第１の送信側トランスポンダに対となって設けられ、当該第１の送信側トランスポンダに入力された複数の信号光と同一の信号光を波長多重する第２の送信側波長多重部と、第２の送信側波長多重部による波長多重光のうち一つを選択して出力する単一の送信側光スイッチと、送信側光スイッチにより出力された波長多重光を複数の信号光に波長分離し、第２の送信側トランスポンダに出力する送信側波長分離部とを備え、受信側光伝送装置は、第２の受信側トランスポンダにより分離された複数の信号光を波長多重する受信側波長多重部と、受信側波長多重部による波長多重光の出力先を選択して出力する単一の受信側光スイッチと、第１の受信側トランスポンダに対となって設けられ、受信側光スイッチにより出力された波長多重光を複数の信号光に波長分離する第２の受信側波長分離部とを備えたものである。
【発明の効果】
【０００９】
この発明によれば、上記のように構成したので、光スイッチの数量を少なくすることができるため、装置のコストを下げることができるだけでなく、装置内の光スイッチが占めるスペースを削減できるという効果がある。
【図面の簡単な説明】
【００１０】
【図１】この発明の実施の形態１に係る光伝送システムの概略構成を示す図である。
【図２】この発明の実施の形態１に係る光伝送システムの動作を示すフローチャートである。
【図３】この発明の実施の形態２に係る光伝送システムの概略構成を示す図である。
【発明を実施するための形態】
【００１１】
以下、この発明の実施の形態について図面を参照しながら詳細に説明する。
実施の形態１．
図１はこの発明の実施の形態１に係る光伝送システムの概略構成を示す図である。
光伝送システムは、図１に示すように、送信側光伝送装置１及び受信側光伝送装置２から構成されている。なお、送信側光伝送装置１と受信側光伝送装置２との間は伝送路３により接続されている。
【００１２】
送信側光伝送装置１は、複数の１：２光カプラ１０１、複数（Ｍ個）のＮ多重トランスポンダ（第１の送信側トランスポンダ）１０２、波長多重部（送信側波長多重部）１０３、複数（Ｍ個）の波長多重部（第２の送信側波長多重部）１０４、単一のＭ：１光スイッチ（送信側光スイッチ）１０５、単一の波長分離部（送信側波長分離部）１０６及び単一のＮ多重トランスポンダ（第２の送信側トランスポンダ）１０７から構成されている。ここで、Ｍは光伝送システムの波長多重数を表し、ＮはＮ多重トランスポンダ１０２，１０７により一つの波長光に変換される信号数を表す。
【００１３】
１：２光カプラ１０１は、Ｎ多重トランスポンダ１０２の前段に設けられ、当該Ｎ多重トランスポンダ１０２に入力される信号光を分岐するものである。この１：２光カプラ１０１により分岐された一方の信号光は対応するＮ多重トランスポンダ１０２に出力され、もう一方の信号光は対応する波長多重部１０４に出力される。
【００１４】
Ｎ多重トランスポンダ１０２は、１：２光カプラ１０１を介して入力された複数（Ｎ個）の信号光を内部で光電気変換して多重し、波長多重伝送を行うための波長光に変換するものである。なお、Ｎ多重トランスポンダ１０２に入力される複数の信号光はそれぞれ異なる波長を持つ。このＮ多重トランスポンダ１０２により変換された波長光は波長多重部１０３に出力される。
【００１５】
波長多重部１０３は、各Ｎ多重トランスポンダ１０２，１０７からの波長光を波長多重するものである。この波長多重部１０３による波長多重光は伝送路３を介して受信側光伝送装置２に送信される。
【００１６】
波長多重部１０４は、Ｎ多重トランスポンダ１０２に対となって設けられ、１：２光カプラ１０１を介して入力されたプロテクション対象の複数（Ｎ個）の信号光を波長多重するものである。この波長多重部１０４による波長多重光はＭ：１光スイッチ１０５に出力される。
【００１７】
Ｍ：１光スイッチ１０５は、各波長多重部１０４からの波長多重光のうち任意の一つの波長多重光を選択して波長分離部１０６に出力するものである。ここで、伝送路に異常が発生した場合には、Ｍ：１光スイッチ１０５は、当該伝送路に対応する波長多重光を選択して出力する。
【００１８】
波長分離部１０６は、Ｍ：１光スイッチ１０５からの波長多重光を複数（Ｎ個）の信号光に波長分離するものである。この波長分離部１０６により波長分離された複数の信号光はＮ多重トランスポンダ１０７に出力される。
【００１９】
Ｎ多重トランスポンダ１０７は、波長分離部１０６からの複数（Ｎ個）の信号光を内部で光電気変換して多重し、波長多重伝送を行うための波長光に変換するものである。このＮ多重トランスポンダ１０７により変換された波長光は波長多重部１０３に出力される。
【００２０】
受信側光伝送装置２は、波長分離部（受信側波長分離部）２０１、複数（Ｍ個）のＮ多重トランスポンダ（第１の受信側トランスポンダ）２０２、単一のＮ多重トランスポンダ（第２の受信側トランスポンダ）２０３、単一の波長多重部（受信側波長多重部）２０４、単一の１：Ｍ光スイッチ（受信側光スイッチ）２０５、複数（Ｍ個）の波長分離部（第２の受信側波長分離部）２０６及び複数の２：１光カプラ２０７から構成されている。
【００２１】
波長分離部２０１は、伝送路３を介して送信側光伝送装置１から送信された波長多重光を複数の波長光に波長分離するものである。この波長分離部２０１により波長分離された複数の波長光は対応するＮ多重トランスポンダ２０２，２０３に出力される。
【００２２】
Ｎ多重トランスポンダ２０２は、波長分離部２０１からの波長光を内部で光電気変換して複数（Ｎ個）の信号光に分離し、光伝送システムに入力された状態に復元するものである。このＮ多重トランスポンダ２０２により復元された複数の信号光は対応する２：１光カプラ２０７を介して外部に出力される。なお、伝送路に異常が発生した場合には、当該伝送路に対応するＮ多重トランスポンダ２０２の出力はシャットダウンされる。
【００２３】
Ｎ多重トランスポンダ２０３は、波長分離部２０１からのプロテクション対象の波長光を内部で光電気信号に変換して複数（Ｎ個）の信号光に分離し、光伝送システムに入力された状態に復元するものである。このＮ多重トランスポンダ２０３により復元された複数の信号光は波長多重部２０４に出力される。なお、通常状態では、Ｎ多重トランスポンダ２０３の出力はシャットダウンされる。
【００２４】
波長多重部２０４は、Ｎ多重トランスポンダ２０３からの複数（Ｎ個）の信号光を波長多重するものである。この波長多重部２０４による波長多重光は１：Ｍ光スイッチ２０５に出力される。
【００２５】
１：Ｍ光スイッチ２０５は、後段に接続された複数の波長分離部２０６のうち一つを出力先として選択して、波長多重部２０４からの波長多重光を当該出力先に出力するものである。ここで、伝送路に異常が発生した場合には、１：Ｍ光スイッチ２０５は、当該伝送路に対応する出力先を選択する。
【００２６】
波長分離部２０６は、Ｎ多重トランスポンダ２０７に対となって設けられ、１：Ｍ光スイッチ２０５からの波長多重光を複数（Ｎ個）の信号光に波長分離するものである。この波長分離部２０６により分離された複数の信号光は対応する２：１光カプラ２０７を介して外部に出力される。
【００２７】
２：１光カプラ２０７は、Ｎ多重トランスポンダ２０２及び波長分離部２０６からの信号光を合波するものである。この２：１光カプラ２０７により合波された信号光は外部に出力される。
【００２８】
次に、上記のよう構成された光伝送システムの動作について説明する。
光伝送システムの動作では、送信側光伝送装置１に信号光が入力されると、まず、１：２光カプラ１０１は、当該信号光を分岐して、一方の信号光を対応するＮ多重トランスポンダ１０２に出力し、もう一方の信号光を対応する波長多重部１０４に出力する（ステップＳＴ１）。
【００２９】
次いで、Ｎ多重トランスポンダ１０２は、１：２光カプラ１０１を介して入力された複数（Ｎ個）の信号光を内部で光電気変換して多重し、波長多重伝送を行うための波長光に変換する（ステップＳＴ２）。このＮ多重トランスポンダ１０２により変換された波長光は波長多重部１０３に出力される。
【００３０】
一方、プロテクション・パスにおいて、波長多重部１０４は、１：２光カプラ１０１を介して入力された複数（Ｎ個）の信号光を波長多重する（ステップＳＴ３）。この波長多重部１０４による波長多重光はＭ：１光スイッチ１０５に出力される。
【００３１】
次いで、Ｍ：１光スイッチ１０５は、各波長多重部１０４からの波長多重光のうち任意の一つの波長多重光を選択して波長分離部１０６に出力する（ステップＳＴ４）。
【００３２】
次いで、波長分離部１０６は、Ｍ：１光スイッチ１０５からの波長多重光を複数の信号光に波長分離する（ステップＳＴ５）。この波長分離部１０６により波長分離された複数の信号光はＮ多重トランスポンダ１０７に出力される。
【００３３】
次いで、Ｎ多重トランスポンダ１０７は、波長分離部１０６からの複数（Ｎ個）の信号光を内部で光電気変換して多重し、波長多重伝送を行うための波長光に変換する（ステップＳＴ６）。このＮ多重トランスポンダ１０７により変換されたプロテクション用の波長光は波長多重部１０３に出力される。
【００３４】
次いで、波長多重部１０３は、各Ｎ多重トランスポンダ１０２，１０７からの波長光を波長多重して波長多重光とする（ステップＳＴ７）。この波長多重部１０３により波長多重された波長多重光は伝送路３を介して受信側光伝送装置２に送信される。
【００３５】
次いで、受信側光伝送装置２の波長分離部２０１は、伝送路３を介して送信側光伝送装置１から送信された波長多重光を複数の波長光に波長分離する（ステップＳＴ８）。この波長分離部２０１により波長分離された複数の波長光は対応するＮ多重トランスポンダ２０２，２０３に出力される。
【００３６】
次いで、Ｎ多重トランスポンダ２０２は、波長分離部２０１からの対応する波長光を内部で光電気変換して複数の信号光に分離し、光伝送システムに入力された状態に復元する（ステップＳＴ９）。このＮ多重トランスポンダ２０２により復元された複数の信号光は対応する２：１光カプラ２０７を介して外部に出力される。
【００３７】
一方、Ｎ多重トランスポンダ２０３は、波長分離部２０１からの波長光を内部で光電気信号に変換して複数の信号光に分離し、光伝送システムに入力された状態に復元する（ステップＳＴ１０）。このＮ多重トランスポンダ２０３により復元された複数の信号光は波長多重部２０４に出力される。
【００３８】
次いで、波長多重部２０４は、Ｎ多重トランスポンダ２０３からの複数の信号光を波長多重とする（ステップＳＴ１１）。この波長多重部２０４による波長多重光は１：Ｍ光スイッチ２０５に出力される。
【００３９】
次いで、１：Ｍ光スイッチ２０５は、複数の波長分離部２０６のうち一つを出力先として選択して、波長多重部２０４からの波長多重光を当該出力先に出力する（ステップＳＴ１２）。
【００４０】
次いで、波長分離部２０６は、１：Ｍ光スイッチ２０５からの波長多重光を複数の信号光に波長分離する（ステップＳＴ１３）。この波長分離部２０６により分離された複数の信号光は対応する２：１光カプラ２０７を介して外部に出力される。
【００４１】
ここで、伝送路が正常の場合には、プロテクション・パスにおいて、Ｎ多重トランスポンダ２０３の出力をシャットダウンする。これにより、Ｎ多重トランスポンダ２０２からの信号光とプロテクション・パスからの信号光とが２：１光カプラ２０７でぶつからないようにする。
【００４２】
一方、伝送路に異常が発生した場合には、プロテクション・パスのＭ：１光スイッチ１０５は、当該伝送路に対応する波長多重光を選択して出力を行い、１：Ｍ光スイッチ２０５は、当該伝送路に対応する出力先を選択して波長多重光の出力を行う。
また、この際、当該伝送路に対応するＮ多重トランスポンダ２０２の出力をシャットダウンする。これにより、Ｎ多重トランスポンダ２０２からの信号光とプロテクション・パスからの信号光とが２：１光カプラ２０７でぶつからないようにする。
以上の動作により、Ｎ多重トランスポンダ１０７及びＮ多重トランスポンダ２０３を経由して、異常が発生している伝送路における信号光を伝送することができる。
【００４３】
以上のように、この実施の形態１によれば、単一のＭ：１光スイッチ１０５の前段に波長多重部１０４を配置し、後段に波長分離部１０６を配置し、単一の１：Ｍ光スイッチ２０５の前段に波長多重部２０４を配置し、後段に波長分離部２０６を配置するように構成したので、光スイッチ１０５，２０５のポート数を大幅に削減することが可能であり、部品数の削減による経済的効果と、装置を小型にする効果が得られる。
【００４４】
すなわち、従来構成では、光スイッチ１０５，２０５はそれぞれＮ個必要であったが、本構成では、それぞれ１個ずつでよくなる。したがって、本構成では従来構成に対して、光スイッチ１０５，２０５をそれぞれ１／Ｎ個に削減することができる。
【００４５】
一方、本構成では、光スイッチ１０５，２０５の前後に波長多重部１０４，２０４及び波長分離部１０６，２０６を追加している。一般的に、光スイッチ１０５，２０５の部品価格は約３０万円であり、波長多重部１０４，２０４及び波長分離部１０６，２０６の部品価格は約１５万円である。また、一般的に、入力ポート数Ｎは１０であり、プロテクションを行う波長多重数Ｍは１６である。
したがって、従来構成の部品価格は、３０万円×１０（Ｎ個）×２（送受）＝６００万円となる。一方、本構成の部品価格は、｛３０万円＋１５万円×１７（Ｍ＋１個）｝×２（送受）＝５７０万円となり、従来構成に対して約３０万円安くなる。
【００４６】
また、光スイッチ１０５，２０５の部品サイズは、約１５０ｍｍ×１２０ｍｍ×１０ｍｍである。一方、波長多重部１０４，２０４及び波長分離部１０６，２０６の部品サイズは、約５０ｍｍ×６０ｍｍ×１０ｍｍである。すなわち、光スイッチ１０５，２０５の部品サイズを１とすると、波長多重部１０４，２０４及び波長分離部１０６，２０６の部品サイズは約１／６となる。
したがって、従来構成の部品サイズは、１×１０（Ｎ個）×２（送受）＝２０となる。一方、本構成の部品サイズは、｛１＋（１／６）×１７（Ｍ＋１個）｝×２（送受）＝７．７となり、従来構成に対して約４０％の小型化となる。
【００４７】
また、本発明では、プロテクション・パスに送られ波長多重部１０４により波長多重される信号光のグルーピングは、Ｎ多重トランスポンダ１０２に入力されるグループごととなる。これは、システムのプロテクション動作が、波長多重光の波長単位での切替えとなるためである。
ここで、従来構成では、グループ内の信号光に区別がつかなかったため、例えば配線ミスが発生してもその特定が困難であった。それに対して、本発明では上記のようにグルーピングされることで、信号光の波長が全て異なるため、配線ミスをするとその信号光が導通せず、その特定が容易となるという効果も得られる。
【００４８】
実施の形態２．
図３はこの発明の実施の形態２に係る光伝送システムの概略構成を示す図である。なお図３では、光伝送システムのプロテクション・パスの一部分の構成についてのみ示している。この図３に示す実施の形態２に係る光伝送システムは、図１に示す実施の形態１に係る光伝送システムの波長分離部１０６を光分波部（送信側光分波部）１０８及び複数（Ｎ個）の波長フィルタ（送信側波長フィルタ）１０９に変更し、波長分離部２０６を光分波部（受信側光分波部）２０８及び複数（Ｎ個）の波長フィルタ（受信側波長フィルタ）２０９に変更したものである。その他の構成は同様であり、同一の符号を付してその説明を省略する。
【００４９】
光分波部１０８は、Ｍ：１光スイッチ１０５からの波長多重光を分波するものである。この光分波部１０８により分波された波長多重光は対応する波長フィルタ１０９に出力される。
【００５０】
波長フィルタ１０９は、光分波部１０８からの波長多重光から、所定の波長の信号光を取り出すものである。なお、各波長フィルタ１０９が取り出す信号光の波長は互いに異なる波長となるように設定されている（λ１〜λＮ）。この波長フィルタ１０９により取り出された信号光はＮ多重トランスポンダ１０７に出力される。
【００５１】
光分波部２０８は、１：Ｍ光スイッチ２０５からの波長多重光を分波するものである。この光分波部２０８により分波された波長多重光は対応する波長フィルタ２０９に出力される。
【００５２】
波長フィルタ２０９は、光分波部２０８からの波長多重光から、所定の波長の信号光を取り出すものである。なお、各波長フィルタ２０９が取り出す信号光の波長は互いに異なる波長となるように設定されている（λ１〜λＮ）。この波長フィルタ２０９により取り出された信号は２：１光カプラ２０７を介して外部に出力される。
【００５３】
すなわち、光スイッチ１０５，２０５から出力された波長多重光は、光分波部１０８，２０８でＮ分岐された後、波長フィルタ１０９，２０９でそれぞれの波長以外がカットされることで、任意の波長の信号光が取り出される。よって、波長分離部１０６，２０６と同様の効果を得ることができる。
【００５４】
以上のように、この実施の形態２によれば、波長分離部１０６，２０６に代えて光分波部１０８，２０８及び複数の波長フィルタ１０９，２０９を用いるように構成したので、装置構成に応じてコストの低減を図ることができる効果がある。
【００５５】
一般的に、光分波部１０８，２０８の部品価格は約１万円であり、波長フィルタ１０９，２０９の部品価格は約２万円である。また、波長分離部１０６，２０６の部品価格は約１５万円である。
従って、入力ポート数Ｎを１０とすると、実施の形態１の構成の部品価格は１５万円であるのに対して、実施の形態２の構成の部品価格は、１万円＋２万円×１０（Ｎ個）＝２１万円となり、この場合には実施の形態２の方が６万円高くなる。しかしながら、入力ポート数Ｎが４以下の場合には実施の形態２の方が安くなる。よって、装置構成に応じて実施の形態１，２の構成を使い分けることで、コストを抑えることが可能となる。
【００５６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５７】
１  送信側光伝送装置、２  受信側光伝送装置、３  伝送路、１０１  １：２光カプラ、１０２  Ｎ多重トランスポンダ（第１の送信側トランスポンダ）、１０３  波長多重部（送信側波長多重部）、１０４  波長多重部（第２の送信側波長多重部）、１０５  Ｍ：１光スイッチ（送信側光スイッチ）、１０６  波長分離部（送信側波長分離部）、１０７  Ｎ多重トランスポンダ（第２の送信側トランスポンダ）、１０８  光分波部（送信側光分波部）、１０９  波長フィルタ（送信側波長フィルタ）、２０１  波長分離部（受信側波長分離部）、２０２  Ｎ多重トランスポンダ（第１の受信側トランスポンダ）、２０３  Ｎ多重トランスポンダ（第２の受信側トランスポンダ）、２０４  波長多重部（受信側波長多重部）、２０５  １：Ｍ光スイッチ（受信側光スイッチ）、２０６  波長分離部（第２の受信側波長分離部）、２０７  ２：１光カプラ、２０８  光分波部（受信側光分波部）、２０９  波長フィルタ（受信側波長フィルタ）。
【図１】
2014225740.tif 000003
【図２】
2014225740.tif 000004
【図３】
2014225740.tif 000005